(57)【要約】【課題】反射プレートを設置することによって均一な輝度を発生することができる直下式バックライトユニットを提供する。【解決手段】一つのケース（２１）と、少なくとも一つの光源と、少なくとも一つの反射部材（４０）とを有する直下式バックライトユニット（２０）であって、ケース（２１）の上部は平面状の光透過面であり、ケース（２１）の内部にパイプ式ランプ（２２）又は湾曲式ランプ（２２）の光源が設けられ、反射部材（４０）はケース（２１）の底面に設けられ、その中心線（４２）が上方におけるランプ（２２）に対応し、又、該反射部材（４０）はこの中心線（４２）を中心として左右両側に所定の湾曲率を有する斜面（４１）が設けられ、ランプ（２２）の上方における光透過面は高輝度ゾーン（１００）であり、ランプ（２２）同士の間は低輝度ゾーン（１０１）であり、前記反射部材（４０）の斜面（４１）は低輝度ゾーン（１０１）に向かって設置されることを特徴とする。【選択図】　図１
0003097899.tif 000002
【実用新案登録請求の範囲】
【請求項１】
一つのケース（２１）と、少なくとも一つの光源と、少なくとも一つの反射部材（４０）とを有する直下式バックライトユニット（２０）であって、
ケース（２１）の上部は平面状の光透過面であり、ケース（２１）の内部にパイプ式ランプ（２２）又は湾曲式ランプ（２２）の光源が設けられ、
反射部材（４０）はケース（２１）の底面に設けられ、その中心線（４２）が上方におけるランプ（２２）に対応し、又、該反射部材（４０）はこの中心線（４２）を中心として左右両側に所定の湾曲率を有する斜面（４１）が設けられ、ランプ（２２）の上方における光透過面は高輝度ゾーン（１００）であり、ランプ（２２）同士の間は低輝度ゾーン（１０１）であり、前記反射部材（４０）の斜面（４１）は低輝度ゾーン（１０１）に向かって設置されることを特徴とする直下式バックライトユニット。
【請求項２】
該湾曲式ランプ（２２）がＷ字形又はＵ字形であり、ケース（２１）の上方における開口（即ちランプ（２２）の上方）に拡散プレート（２３）が設けられることを特徴とする請求項１に記載の直下式バックライトユニット。
【請求項３】
反射部材（４０）の斜面（４１）は凹曲面、凸曲面又は平面になると共に、ケース（２１）と一体形成になることを特徴とする請求項１又は請求項２に記載の直下式バックライトユニット。
【考案の詳細な説明】
【０００１】
【考案の属する技術分野】
本考案は、特に反射プレートを設置することによって均一な輝度を発生することができる直下式バックライトユニットに関するものである。
【０００２】
【従来の技術】
液晶は自身発光することができないので、バックライト部材によって映像を表現することができる。現有の液晶モニタに用いられるバックライト部材はサイドライド式及び直下式の二種類がある。
【０００３】
図４に示すように、従来のサイドライト式バックライトユニットは液晶パネル（５０）の下方に設置されると共に、パイプ式光源（６０）と、導光板（６１）と、反射プレート（６２）と、拡散フィルム（６３）と、レンズ部材（６４）とを備え、そのパイプ式光源（６０）を導光板（６１）の一側に設置することにより、光線が側面から導光板（６１）の内部に進入すると共に、導光板（６１）の下方における反射部材及び反射プレート（６２）によって光線を屈折して液晶パネルに進入し、或いは再び光線を反射プレート（６２）に反射し、更に、拡散フィルム（６３）とレンズ部材（６４）によって光線の分散度と可視角度を調整することにより、光線が液晶モニタの可視角度範囲に集中される。しかし、このサイドライト式バックライトユニットを用いる液晶モニタは導光板（６１）の厚さの制限によってサイドライドの数量を増加できず、従って、寸法の大きい液晶モニタに使用する場合、光源と輝度不足という問題がある。
【０００４】
又、図５に示すように、従来の直下式バックライトユニットはケース（７０）と、ケース（７０）の内部に設置する複数のランプ（７１）と、拡散プレート（７２）とを備え、ケース（７０）は液晶パネルの背面に対して設けられ、ランプ（７１）はケース（７０）の内部に設置するので、液晶パネルに平面の光源を提供することにより、ランプ（７１）の数量は液晶パネルの寸法に対応して増加することができる。しかし、この直下式バックライトユニットはケース（７０）の下方における反射プレート（符号なし）によって光線を上方へ反射するので、ランプ（７１）の上方の輝度が強いと共に、ランプ（７１）同士間の輝度が弱いという輝度不均一の問題があり、更に、拡散プレート（７２）とランプ（７１）は所定の距離が必要するので、直下式バックライトユニットの厚さを縮減することができず、又、反射プレートが下方に設けるので、反射した光線の輝度差があってしまう。
【０００５】
【考案が解決しようとする課題】
上記の説明と通り、直下式バックライトユニットは寸法の大きい液晶モニタにより適用するが、数がより多くのパイプランプ又は湾曲ランプを使用するので、輝度の不均一の問題があり、よって液晶モニタの映像品質が不良になる。
【０００６】
そこで、案出されたのが本考案であって、反射プレートを設置することによって均一な輝度を発生することができる直下式バックライトユニットを提供することを目的としている。
【０００７】
【課題を解決するための手段】
本願の請求項１の考案は、一つのケース（２１）と、少なくとも一つの光源と、少なくとも一つの反射部材（４０）とを有する直下式バックライトユニット（２０）であって、
ケース（２１）の上部は平面状の光透過面であり、ケース（２１）の内部にパイプ式ランプ（２２）又は湾曲式ランプ（２２）の光源が設けられ、
反射部材（４０）はケース（２１）の底面に設けられ、その中心線（４２）が上方におけるランプ（２２）に対応し、又、該反射部材（４０）はこの中心線（４２）を中心として左右両側に所定の湾曲率を有する斜面（４１）が設けられ、ランプ（２２）の上方における光透過面は高輝度ゾーン（１００）であり、ランプ（２２）同士の間は低輝度ゾーン（１０１）であり、前記反射部材（４０）の斜面（４１）は低輝度ゾーン（１０１）に向かって設置されることを特徴とする直下式バックライトユニット及び、
本願の請求項２の考案は、該湾曲式ランプ（２２）がＷ字形又はＵ字形であり、ケース（２１）の上方における開口（即ちランプ（２２）の上方）に拡散プレート（２３）が設けられることを特徴とする請求項１に記載の直下式バックライトユニット及び、
本願の請求項３の考案は、反射部材（４０）の斜面（４１）は凹曲面、凸曲面又は平面になると共に、ケース（２１）と一体形成になることを特徴とする請求項１又は請求項２に記載の直下式バックライトユニット、
を提供する。
【０００８】
【作用】
本考案は上記の課題を解決するものであり、ランプの下方に反射部材が設けられ、ランプ下方の光線を低輝度ゾーンに集中することにより、低輝度ゾーンの輝度を補足することができ、更に、拡散プレートはランプと近い箇所に設置することができるので、バックライトユニットの全体の厚さを縮減することができる。
【０００９】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１０】
図１は本考案に係わる直下式バックライトユニットの一部断面図であり、図２は反射プレートを有しない直下式バックライトユニットの輝度分布図であり、図３は反射プレートを有する直下式バックライトユニットの輝度分布図である。
【００１１】
【考案の実施の形態】
図１に示すように、本考案に係わる直下式バックライトユニット（２０）の第一実施例は一つのケース（２１）と、少なくとも一つの光源と、少なくとも一つの反射部材（４０）とを有し、ケース（２１）の上部は平面状の光透過面であり、ケース（２１）の内部にパイプ式ランプ（２２）又は湾曲式ランプ（２２）の光源が設けられ、該湾曲式ランプ（２２）がＷ字形又はＵ字形である。
【００１２】
反射部材（４０）はケース（２１）の底面に設けられ、その中心線（４２）が上方におけるランプ（２２）に対応し、又、該反射部材（４０）はこの中心線（４２）を中心として左右両側に所定の湾曲率を有する斜面（４１）が設けられ、該湾曲率はプラス、マイナス又はゼロであり、これにより、該反射部材（４０）の斜面（４１）は凹曲面、凸曲面又は平面になる。更に、該反射部材（４０）はケース（２１）と一体形成になることができる。
【００１３】
ランプ（２２）の上方における光透過面は高輝度ゾーン（１００）であり、ランプ（２２）同士の間は低輝度ゾーン（１０１）であり、前記反射部材（４０）の斜面（４１）は低輝度ゾーン（１０１）に向かって設置される。
【００１４】
前記バックライトユニット（２０）の発光輝度の均一化する技術手段はケース（２１）の底面における反射部材（４０）によって達成し、これは反射部材（４０）の斜面（４１）が低輝度ゾーン（１０１）に向かって設置されるので、ランプ（２２）下方の光線を低輝度ゾーン（１０１）に集中することにより、低輝度ゾーン（１０１）の輝度を補足することができる。
【００１５】
更に、前記バックライトユニット（２０）に光線を拡散できる拡散プレート（２３）が設けられ、この拡散プレート（２３）はケース（２１）の上方における開口（即ちランプ（２２）の上方）に設けられることにより、輝度の均一化に役に立ち、又、該拡散プレート（２３）に拡散フィルム又はレンズ（符号なし）を設置することができ、よってより優れた輝度均一化の効果を達成できる。
【００１６】
又、図２及び図３に示すように、反射部材（４０）の設置前及び設置後の輝度分布図により、反射部材（４０）を有する輝度分布状況（図３に参照）は反射部材を有しないの（図２に参照）より均一化になる。
【００１７】
【考案の効果】
本考案は上記の構成を有するので、ランプの下方に反射部材が設けられ、ランプ下方の光線を低輝度ゾーンに集中することにより、低輝度ゾーンの輝度を補足することができ、更に、拡散プレートはランプと近い箇所に設置することができるので、バックライトユニットの全体の厚さを縮減することができる。
【図面の簡単な説明】
【図１】本考案に係わる直下式バックライトユニットの一部断面図である。
【図２】反射プレートを有しない直下式バックライトユニットの輝度分布図である。
【図３】反射プレートを有する直下式バックライトユニットの輝度分布図である。
【図４】サイドライド式バックライトユニットを有する従来の液晶パネルの分解平面図である。
【図５】従来の直下式バックライトユニットの一部分解斜視図である。
【符号の説明】
１０　　　　液晶パネル
１００　　　高輝度ゾーン
１０１　　　低輝度ゾーン
２０　　　　バックライトユニット
２１　　　　ケース
２２　　　　ランプ
２３　　　　拡散プレート
４０　　　　反射部材
４１　　　　斜面
４２　　　　中心線
５０　　　　液晶パネル
６０　　　　パイプ式光源
６１　　　　導光板
６２　　　　反射プレート
６３　　　　拡散フィルム
６４　　　　レンズ部材
７０　　　　ケース
７１　　　　ランプ
７２　　　　拡散プレート
【図１】
0003097899.tif 000003
【図２】
0003097899.tif 000004
【図３】
0003097899.tif 000005
【図４】
0003097899.tif 000006
【図５】
0003097899.tif 000007